(57)【要約】【課題】配線をなるべく外部に露呈させずに天板昇降式什器の内部に収容可能な天板昇降式什器を提供する。【解決手段】  床面上に載置されるベース部８と、ベース部８の上面から上方に向って延び、上下方向に伸縮可能な支持脚２と、下面４ｂが支持脚２に支持された天板４と、天板４を上下方向に昇降させる昇降機構６と、少なくとも昇降機構６に接続された配線１５Ａ，１５Ｂを収容可能な配線収容空間３３を形成する配線受け３０と、を備え、支持脚２は天板４の下面４ｂの左右方向の中間、かつ前後方向の後側に連結され、配線受け３０は支持脚２を囲うように平面視Ｕ字型に形成されている。【選択図】図１
2018171394.tif 000002
【特許請求の範囲】
【請求項１】
床面上に載置されるベース部と、
前記ベース部の上面から上方に向って延び、上下方向に伸縮可能な支持脚と、
下面が前記支持脚に支持された天板と、
前記天板を上下方向に昇降させる昇降機構と、
前記昇降機構に接続された配線を収容可能な配線収容空間を形成する配線受けと、
を備え、
前記支持脚は前記天板の下面の左右方向の中間、かつ前後方向の後側に連結され、
前記配線受けは前記支持脚を囲うように平面視Ｕ字型に形成されていることを特徴とする天板昇降式什器。
【請求項２】
前記配線受けは、上面に前記配線を載置可能な配線載置部と、前記配線載置部の周縁部から上方に向けて突出し、前記配線載置部に載置された前記配線の落下を防止する配線落下防止部と、を有することを特徴とする請求項１に記載の天板昇降式什器。
【請求項３】
前記支持脚を囲う前記配線落下防止部の高さは、前記支持脚を囲う部分以外の前記配線落下防止部の高さより低いことを特徴とする請求項２に記載の天板昇降式什器。
【請求項４】
前記配線収容空間は、前記昇降機構に接続された配線を収容可能な第一配線収容部と、利用者が前記天板の上面で利用する機器に接続された配線を収容可能な第二配線収容部と、を有することを特徴とする請求項１から請求項３のいずれか一項に記載の天板昇降式什器。
【請求項５】
前記第一配線収容部の周縁部に設けられている前記配線落下防止部の高さが前記第二配線収容部の周縁部に設けられている前記配線落下防止部の高さより高いことを特徴とする請求項４に記載の天板昇降式什器。
【請求項６】
前記第一配線収容部は前記配線収容空間の前側に設けられ、前記第二配線収容部は前記配線収容空間の後側に設けられていることを特徴とする請求項４または請求項５に記載の天板昇降式什器。
【請求項７】
前記第一配線収容部と前記第二配線収容部との間に仕切り部が設けられていることを特徴とする請求項４から請求項６のいずれか一項に記載の天板昇降式什器。
【発明の詳細な説明】
【技術分野】
【０００１】
本発明は、天板昇降式什器に関し、例えばオフィスや公共施設等の執務空間において利用される天板昇降式什器に関するものである。
【背景技術】
【０００２】
一般に、オフィスや公共施設等の執務空間においては、執務者（利用者）に作業エリアを提供するためにデスクなどの天板付什器が配設されている。
このような天板付什器においては、使用者の姿勢、体格、性別、好み等によって、作業のしやすい天板の高さは個々に異なる。このため、天板の高さを上下に変更可能とした天板昇降式什器が使用されている。天板昇降式什器においては、使用者の要望に応じた天板高さの作業エリアを提供することができ、作業効率を向上させることができるとともに、使用者の体への負荷を軽減することができる。
【０００３】
天板昇降式什器の天板の昇降機構としては、ガススプリングやギアを用いるもの、電動式駆動ユニットを用いるもの等が知られている（例えば、特許文献１および特許文献２参照）。
【先行技術文献】
【特許文献】
【０００４】
【特許文献１】特許第３３７１９５９号公報
【特許文献２】特開２０１４−１１３５０５号公報
【発明の概要】
【発明が解決しようとする課題】
【０００５】
上述の特許文献１および特許文献２に開示されている天板昇降式什器をはじめとする従来の天板昇降式什器では、一本の昇降脚（支持脚）から構成されるいわゆる単柱タイプのものが見られる。
このような単柱タイプの天板昇降式什器においては、使用時の快適さを向上させる観点から、昇降脚のコントローラや操作スイッチなどに接続された配線がなるべく外部に露呈することがないように什器内に収容可能とすることが求められている。
【０００６】
本発明は、上述の事情を鑑みてなされたものであり、配線をなるべく外部に露呈させずに天板昇降式什器の内部に収容可能な天板付き什器を提供する。
【課題を解決するための手段】
【０００７】
上述の目的を達成するために、本発明は以下の構成を採用している。
すなわち、本発明に係る天板昇降式什器は、床面上に載置されるベース部と、前記ベース部の上面から上方に向って延び、上下方向に伸縮可能な支持脚と、下面が前記支持脚に支持された天板と、前記天板を上下方向に昇降させるため昇降機構と、前記昇降機構に接続された配線を収容可能な配線収容空間を形成する配線受けと、を備え、前記支持脚は前記天板の下面の左右方向の中間、かつ前後方向の後側に連結され、前記配線受けは前記支持脚を囲うように平面視Ｕ字型に形成されていることを特徴とする。
【０００８】
上述の天板昇降式什器では、平面視Ｕ字型の配線受けが天板と支持脚との連結部分を囲うように天板の下面に設けられているので、配線収容空間を広く確保することができる。これにより、昇降機構に接続された配線や利用者が使う配線などがなるべく天板昇降式什器の外部に露呈することを防止し、配線を天板昇降式什器の内部に収容することができる。
【０００９】
本発明に係る天板昇降式什器では、前記配線受けは、上面に前記配線を載置可能な配線載置部と、前記配線載置部の周縁部から上方に向けて突出し、前記配線載置部に載置された前記配線の落下を防止する配線落下防止部と、を有していてもよい。
このような天板昇降式什器では、配線受けが配線載置部と配線落下防止部とを備えているので、配線が安定して配線収容空間に確実に収容することができる。
【００１０】
本発明に係る天板昇降式什器では、前記支持脚を囲う前記配線落下防止部の高さは、前記支持脚を囲う部分以外の前記配線落下防止部の高さより低くてもよい。
このような天板昇降式什器では、配線が支持脚を囲う配線落下防止部と天板の間で、円滑にかつ少ない露出で支持脚に沿って、昇降機構に容易に接続可能とすることができる。
【００１１】
本発明に係る天板昇降式什器では、前記配線収容空間は、前記昇降機構に接続された配線を収容可能な第一配線収容部と、利用者が前記天板の上面で利用する機器に接続された配線を収容可能な第二配線収容部と、を有していてもよい。
このような天板昇降式什器では、昇降機構に接続された配線と利用者が天板の上面で利用目的に合わせて用いる配線とを区画して収容することができる。
【００１２】
本発明に係る天板昇降式什器では、前記第一配線収容部の周縁部に設けられている前記配線落下防止部の高さが前記第二配線収容部の周縁部に設けられている前記配線落下防止部の高さより高いことが好ましい。
このような天板昇降式什器では、昇降機構に接続された配線を収容し、天板昇降式什器設置後にアクセスする回数が比較的少ないことが想定される第一配線収容部は、高く設定された配線落下防止部により第一配線収容部内から配線がはみ出すことを防止し、配線を確実に収容することが出来る。一方、利用者が使用する機器の配線を収容し、天板昇降式什器設置後にアクセスする回数が多いことが想定される第二配線収容部は、配線落下防止部の高さを低く設定することにより、利用者の使用時におけるアクセス性を良好なものとすることが出来る。
【００１３】
本発明に係る天板昇降式什器では、前記第一配線収容部は前記配線収容空間の前側に設けられ、前記第二配線収容部は前記配線収容空間の後側に設けられていることが好ましい。
このような天板昇降式什器では、天板の下方の前側（すなわち、利用者側）に、昇降機構に接続された配線を配置するとともに、利用者が用いる配線の収容および利用者が用いる配線へのアクセスは天板の下方の後側で行うことができる。したがって、利用者は、昇降機構に接続された配線および自身が用いる配線に接触し難く、天板昇降式什器を快適に利用することができる。また、昇降機構の操作部を天板昇降式什器の前側に設けた場合にも、操作部への配線のアクセスが容易になる。
【００１４】
本発明に係る天板昇降式什器では、前記第一配線収容部と前記第二配線収容部との間に仕切り部が設けられていることが好ましい。
このような天板昇降式什器では、昇降機構に接続された配線および自身が用いる配線との混線が防止される。
【発明の効果】
【００１５】
本発明に係る天板昇降式什器によれば、配線をなるべく外部に露呈させずに天板昇降式什器の内部に収容可能とすることができる。
【図面の簡単な説明】
【００１６】
【図１】本発明の一実施形態である天板昇降式デスクの概略構成を示す斜視図である。
【図２】本発明の一実施形態である天板昇降式デスクの概略構成を示す別の斜視図であり、後側から見た図である。
【図３】図１に示す天板昇降式デスクの配線受けの斜視図である。
【図４】図１に示す天板昇降式デスクの組み立て方法を説明するための斜視図である。
【発明を実施するための形態】
【００１７】
以下、本発明を適用した実施形態について、図面を参照して説明する。なお、以下の説明で用いる図面は模式的なものであり、長さ、幅、及び厚みの比率等は実際のものと同一とは限らず、適宜変更することができる。
なお、以下の説明においては、天板昇降式什器の一例である天板昇降式デスクにおける矩形状の天板の長辺の長さ方向を左右方向、天板の短辺の長さ方向を前後方向と記載する。
【００１８】
図１および図２は、本発明を適用した一実施形態に係る天板昇降式デスク（天板昇降式什器）１の概略構成を示す図であり、図１は前側から見た斜視図であり、図２は後側から見た斜視図である。なお、図２では、天板昇降式デスク１の利用者Ｕの図示を省略する。
【００１９】
図１に示すように、天板昇降式デスク１は、床面上に載置されるベース部８と、ベース部８の上面８ａから上方に向って延び、上下方向に伸縮可能な支持脚２と、下面４ｂが支持脚２に支持された天板４と、天板４の下方に天板４を昇降させるための昇降機構６と、昇降機構６の制御部５に接続された配線１５を収容可能な配線収容空間３３を形成する配線受け３０と、を有している。
【００２０】
ベース部８は、天板４とほぼ同じ幅で左右に離間して配置された一対のベース支持部９，９と、一対のベース支持部９，９の少なくとも後側同士を連結する連結部１０によって構成されている。
【００２１】
一対のベース支持部９，９は、前後に延在する断面矩形状の長尺部材によって構成されている。図２に示すように、ベース支持部９の前端部および後端部のそれぞれにはアジャスター１２が設けられているので、一対のベース支持部９，９の床面からの高さは微調整可能になっている。
【００２２】
連結部１０は所定の大きさの板状部材で構成されている。支持脚２の下端部は、ベース部８の連結部１０の上面１０ａに連結されている。
【００２３】
支持脚２は、天板４の下面４ｂの左右方向の中間、かつ前後方向の後側に連結されている。
【００２４】
昇降機構６は、第一筒部２Ａと、第一筒部２Ａ内に鉛直方向に移動可能に挿入された第二筒部２Ｂと、第二筒部２Ｂ内に鉛直方向に移動可能に挿入された第三筒部２Ｃと、を有している。第一筒部２Ａ、第二筒部２Ｂ、および第三筒部２Ｃは、それぞれ角筒状に形成されている。第一筒部２Ａに対し、第二筒部２Ｂおよび第三筒部２Ｃは、制御部５によって制御される駆動機構（不図示）によって駆動されることにより、鉛直方向に沿って出没することできる。これにより、支持脚２の上下の長さが調整可能となっている。支持脚２の最上部に配置される第一筒部２Ａの上面２ａには、ネジ穴５２が形成され、後述する取り付け板５０を介して第一筒部２Ａの上端部は天板４の下面に取り付けられている（図４参照）。
【００２５】
天板４は、矩形の板状部材からなる。前述のように天板４は支持脚２に支持され、天板４の下方には、配線受け３０によって配線１５などを収容するための配線収容空間３３を構成可能な空間が形成されている。天板４の上面４ａには、天板４の上下面間を貫通する配線挿通孔２７が穿設されている。配線挿通孔２７は、天板昇降式デスク１の利用者Ｕが使うために天板４の上に置かれた電子機器２８の配線３８を天板４の下方に案内するためのものである。
【００２６】
図３に示すように、配線受け３０は上面３２ａに配線１５Ａ，１５Ｂ，３８を載置可能な配線載置部３２と、配線載置部３２の周縁部３２ｒから上方に向けて突出し、配線載置部３２に載置された配線１５Ａ，１５Ｂ，３８（図３では不図示）の落下を防止する配線落下防止部３４と、を有している。具体的には、配線受け３０は、配線載置部３２と、配線落下防止部３４と、を一体的に有するトレイ状部材３５で構成されている。配線載置部３２と配線落下防止部３４によって囲まれた凹所は、配線収容空間３３となっている。
【００２７】
配線載置部３２は、前述のように支持脚２が天板４の下面４ｂの左右方向の中間、かつ前後方向の後側に連結されていることから、支持脚２との連結位置を取り除いた矩形の天板４の下面４ｂに下方から設置可能な平面視Ｕ字状に形成されている。
【００２８】
配線落下防止部３４のうち、支持脚２を囲う配線落下防止部３４Ｃの高さは、支持脚２を囲う部分以外の配線落下防止部３４の高さより低くなっている。これにより、配線受け３０を天板４の下面４ｂに設置した際に、天板４の下面４ｂと配線落下防止部３４Ｃとの間に空間が形成され、形成された空間に電子機器２８の配線３８を挿通させることが可能になる。配線収容空間３３に収容した電子機器２８の配線３８を確実に収容しつつ、配線３８を円滑に挿通させる観点から、天板４の下面４ｂと配線落下防止部３４との間に７ｍｍ以上の配線挿通用空間が設けられているのが望ましい。
【００２９】
配線収容空間３３は、昇降機構の制御部５に接続された配線１５Ａおよび制御部５と操作部７とを接続する配線１５Ｂを収容可能な第一配線収容部４１と、利用者Ｕが天板４の上面４ａで利用する電子機器２８などの配線３８を収容可能な第二配線収容部４２と、を有している。本実施形態では、第一配線収容部４１は配線収容空間３３の前側に設けられ、第二配線収容部４２は配線収容空間３３の後側に設けられている。
【００３０】
第一配線収容部４１と第二配線収容部４２との間には、仕切り部４４が設けられている。仕切り部４４の高さは、特に限定されないが、７ｍｍ以上の配線挿通用空間が設けられているのが望ましい。
【００３１】
第一配線収容部４１の周縁部４１ｒに設けられている配線落下防止部３４Ｙの高さは、第二配線収容部４２の周縁部４２ｒに設けられている配線落下防止部３４Ｘの高さより高くなっている。配線落下防止部３４Ｘの高さは、特に限定されないが、７ｍｍ以上の配線挿通用空間が設けられているのが望ましい。
【００３２】
配線落下防止部３４Ｙの上端縁には、この上端縁から外方に向けて突出するフランジ状の突出部４８が設けられている。突出部４８には、複数の貫通孔４９が形成されている。図示していないが、天板４の下面４ｂにおいて配線受け３０が設置される部分に、複数の貫通孔４９の相対位置に対応する位置で凹状のネジ穴が形成されている。
【００３３】
天板昇降式デスク１を組み立てる際には、図４に示すように、先ず、取り付け板５０を支持脚２の第一筒部２Ａの上面２ａに当接させ、取り付け板５０に形成されている貫通孔５４に上方からネジ５６を挿通させ、第一筒部２Ａの上面２ａに形成されたネジ穴５２にネジ込む。これにより、取り付け板５０を支持脚２に固定する。なお、支持脚２は、取り付け板５０を介さずに、天板４に直接取り付けられていても構わない。
【００３４】
次に、支持脚２を固定した取り付け板５０を天板４の下面４ｂに当接させ、取り付け板５０に形成されている貫通孔５７に下方からネジ６０を挿通させ、天板４の下面４ｂに形成されたネジ穴にネジ込む。これにより、支持脚２を天板４に取り付け板５０を介して固定する。
続いて、配線受け３０の配線落下防止部３４Ｃが設けられている部分（すなわち、平面視Ｕ字型の凹所に該当する部分）を支持脚２に嵌めるように配線受け３０の位置を合わせた後、第二配線収容部４２に配線１５Ａ，１５Ｂを収容する。この際、配線１５Ａの端部は配線落下防止部３４Ｃを跨がせ、配線１５Ｂにおいて操作部７に接続する端部は、貫通孔３９を挿通させておく。
さらに、天板４の下面４ｂに配線受け３０の配線落下防止部３４Ｙに設けられた突出部４８を当接させ、複数の貫通孔４９にネジ５９を下方から挿通させ、ネジを天板４に形成されたネジ穴に埋め込むことで、配線受け３０が天板４の下面４ｂに固定される。貫通孔３９から配線受け３０の外部に通した配線１５Ｂは操作部７に接続する。
【００３５】
以上説明したように、本実施形態の天板昇降式デスク１によれば、平面視Ｕ字型の配線受け３０が天板４と支持脚２との連結部分を囲うように天板４の下面４ｂに設けられているので、配線収容空間３３をなるべく広く確保することができる。これにより、昇降機構６に接続された配線１５Ａ，１５Ｂや利用者Ｕが使う配線３８などをなるべく天板昇降式デスク１の外部に露呈させないようにし、配線１５Ａ，１５Ｂ，３８を天板昇降式デスク１の内部に収容することができる。また、天板昇降式デスク１の美観性を高めることができる。また、配線受け３０を取り付けた状態において、天板４の下面４ｂと配線受け３０の周縁部４２ｒとの間に配線挿通用空間が設けられているので、使用者Ｕが第二配線収容部４２に使用する機器の余剰配線を収容しやすい。
【００３６】
また、本実施形態の天板昇降式デスク１によれば、配線受け３０は上面３０ａに配線１５Ａ，１５Ｂ，３８を載置可能な配線載置部３２と、配線載置部３２の周縁部３２ｒから上方に向けて突出し、配線載置部３２に載置された配線１５Ａ，１５Ｂ，３８の落下を防止する配線落下防止部３４と、を有している。
そのため、天板昇降式デスク１では、配線１５Ａ，１５Ｂ，３８を配線収容空間３３において安定して確実に収容することができる。
【００３７】
また、本実施形態の天板昇降式デスク１によれば、支持脚２を囲う配線落下防止部３４の高さは、支持脚２を囲う部分以外の配線落下防止部３４の高さより低くなっている。
したがって、配線１５Ａ，１５Ｂ，３８が支持脚２を囲う配線落下防止部３４と天板４の間で円滑にかつ少ない露出で支持脚２に沿って、昇降機構６を容易に接続可能とすることができる。
【００３８】
また、本実施形態の天板昇降式デスク１においては、配線収容空間３３は、昇降機構６に接続された配線１５Ｂを収容可能な第一配線収容部４１と、利用者Ｕが天板４の上面４ａで利用する機器２８などに接続された配線３８を収容可能な第二配線収容部と、を有している。
このような構成によれば、昇降機構６に接続された配線１５Ａ，１５Ｂと利用者Ｕが天板４の上面４ａで利用目的に合わせて用いる配線３８とを区画して収容することができる。
【００３９】
また、本実施形態の天板昇降式デスク１によれば、第一配線収容部４１の周縁部４１ｒに設けられている配線落下防止部３４Ｘの高さが第二配線収容部４２の周縁部４２ｒに設けられている配線落下防止部３４Ｙの高さより高い。
このような構成によれば、昇降機構６に接続された配線１５Ａ，１５Ｂを収容し、天板昇降式デスク１設置後にアクセスする回数が比較的少ないことが想定される第一配線収容部４１は、高く設定された配線落下防止部３４Ｙにより第一配線収容部４１内から配線１５Ａ，１５Ｂがはみ出すことを防止し、配線１５Ａ，１５Ｂを確実に収容することが出来る。一方、利用者Ｕが使用する機器の配線３８を収容し、天板昇降式デスク１設置後にアクセスする回数が多いことが想定される第二配線収容部４２は、配線落下防止部３４Ｘの高さを低く設定することにより、利用者Ｕの使用時におけるアクセス性を良好なものとすることが出来る。
【００４０】
また、本実施形態の天板昇降式デスク１によれば、第一配線収容部４１は配線収容空間３３の前側に設けられ、第二配線収容部４２は配線収容空間３３の後側に設けられている。
このような構成によれば、天板４の下方の前側（すなわち、利用者Ｕ側）に、昇降機構６に接続された配線１５Ａ，１５Ｂを配置するとともに、利用者Ｕが用いる配線３８の収容および利用者Ｕが用いる配線３８へのアクセスは天板４の下方の後側で行うことができる。したがって、利用者Ｕは、昇降機構６に接続された配線１５Ａ，１５Ｂおよび自身が用いる配線３８に接触し難く、天板昇降式デスク１を快適に利用することができる。また、昇降機構６の操作部７を天板昇降式デスク１の前側に設けた場合にも、操作部７への配線１５Ｂのアクセスが容易になる。
【００４１】
また、本実施形態の天板昇降式デスク１によれば、第一配線収容部４１と第二配線収容部４２との間に仕切り部４４が設けられているので、昇降機構６に接続された配線１５Ａ，１５Ｂと自身が用いる配線３８との混線が防止される。
【００４２】
以上、本発明の好ましい形態について詳述したが、本発明は上述の実施形態に限定されるものではなく、特許請求の範囲内に記載された本発明の要旨の範囲内において、種々の変形・変更が可能である。
【００４３】
例えば、本発明の天板昇降式什器は天板昇降式デスク１に限定されるものではなく、デスク以外の他の昇降式什器に適用することも可能である。
【００４４】
また、配線受け３０における第一配線収容部４１と第二配線収容部４２は、必ずしも前後方向に区画されているとは限定されず、例えば左右方向に区画されていてもよい。
【符号の説明】
【００４５】
１…天板昇降式デスク（天板昇降式什器）、２…支持脚、４…天板、４ｂ…下面、６…昇降装置、３０…配線受け、３３…配線収容空間、４１…第一配線収容部、４２…第二配線収容部
【図１】
2018171394.tif 000003
【図２】
2018171394.tif 000004
【図３】
2018171394.tif 000005
【図４】
2018171394.tif 000006